(57)【要約】【課題】  本発明は、ポスター、リトグラフ、絵画等の被掲示物を展示する額縁、ポスターフレーム等における被掲示物のがたつきによる、被掲示物の見映えの劣化及び輸送中における被掲示物の損傷防止を目的にしている。【解決手段】  枠体を構成する四隅のコーナー部材２の断面略コ字状の内側面１ａ、すなわち背体５との接触する面に背体５を固定するための係止突起片２ｅを付帯することを考案することにより上記の課題を解決したものである。【選択図】図２
2012011031.tif 000002
【特許請求の範囲】
【請求項１】
長さ方向の全長にわたって開口部を有する内側面と外側面と表側面と裏側面とで断面略コ字状に形成された複数のフレームと、該複数のフレームの内隣り合うフレームの端部を接続するコーナー部材とから成る枠体であって、前記フレームの夫々の端部から若干巾の間隔を有した前記外側面に穿設したコーナー部材接続用孔と、前記コーナー部材は内側が開口された断面略コ字状に形成され基部と、該基部の側面の接続方向に夫々段部を介して延設された断面略コ字状の夫々の接続杆とを備え、前記夫々の接続杆を前記夫々の隣り合うフレームの端部から挿通した時に前記コーナー部材接続用孔に弾性嵌入する係着突起片を突設し、前記基部の巾と高さは前記フレームの巾と高さと同一に形成すると共に前記夫々の段部はフレームの肉厚と同一に形成した枠体において、該コーナー部材の開口部内側面、前記した係着突起片と同一面に係止突起片を設けたことを特徴とする枠体。
【発明の詳細な説明】
【技術分野】
【０００１】
本発明は、ポスター、リトグラフ、絵画等の被掲示物を展示する額縁、ポスターフレーム等の枠体に関する。
【背景技術】
【０００２】
ポスター等の被掲示物を枠内に収容する手段については、四角に組んだ枠の一方の開口部から
透明板、被掲示物、背板を重ねて枠内に納め、これらの部材のずれが生じないように背板押さえあるいはバネ部材を背板に圧接している（例えば、特許文献１、特許文献２参照）。
【０００３】
以下、図１により従来の枠体について説明する。図において、３は透明板、４は被掲示物、５は背板である。これらは重ねて断面略コ字状に形成されたフレーム1及び接続するコーナー部材２から形成される枠体に収納、額縁、ポスターフレーム等を構成している。
【０００４】
【特許文献１】特開平０７−２８４４３２号公報
【特許文献１】特開平０８−２４０９７号公報
【発明の開示】
【発明が解決しようとする課題】
【０００５】
前記した背板押さえあるいはバネ部材を背板に圧接しないと、枠の前面と透明板との間に隙間が発生してがたつき、部材の片寄りによる見映えの劣化を感じさせる問題があった。
また、枠体の輸送時にがたつき、ずれを発生、被掲示物を損傷させる恐れがあった。
【０００６】
本発明は、前記した被掲示物のがたつきを防止するために考案したもので、四隅に配置したコナー部材に工夫を凝らし、片寄りによる見映えの劣化及びがたつきによる被掲示物の損傷等を防止することを目的とするものである。
【課題を解決するための手段】
【０００７】
上記した目的を達成するため、本発明では、四隅のコーナー部材の被掲示物と接触する内側面にがたつき防止用の係止突起片を設けたことを特徴としている。
【発明の効果】
【０００８】
上記の課題解決手段による作用は次の通りである。がたつき防止のための係止突起片を枠体の四隅のコーナー部材、係着突起片と同じ面側に設けたので、背板の端部が該係止突起片に食い込み固定される効果があるので、がたつきを除去する効果がある。
【０００９】
また、異物を新たに付着する従来の方法を排除して、コナー部材との同一部材上に製造する一体成型方式を採用したので、費用対効果の利点がある。
【発明を実施するための最良の形態】
【００１０】
以下、本発明の実施の形態を図１〜図４に基づいて説明する。
【実施例】
【００１１】
図１の構成についてさらに詳述する。図において、フレームの夫々の端部には、若干巾の間隔を有した位置にコーナー部材接続用孔１ｅを穿設してある。また、コーナー部材２には該接続孔１ｅに嵌入するための係着突起片２ｄを付帯している。また、背板５の材質は、紙材ダンボールあるいは発泡スチロール等を芯材にした板状のもので、かつ芯材が係止突起物で容易に変形するものが好適である。
【００１２】
図２は本発明の第一の実施例である。図２において、複数のフレーム１は、図示するように、長さ方向の全長にわたって開口部を有する内側面１ａと外側面１ｂと表側面１ｃと裏側面１ｄとで断面略コ字状に形成されるもので、アルミ等の軽金属、或いは、硬質の合成樹脂等で形成されているものである。
【００１３】
そして、フレーム１を２対２組つまり４本を用いて矩形状に配し、夫々の隅部を後述する４つのコーナー部材２で接続することにより枠体を構成するもので、その際の内側面１ａの開口部には透明シート３、展示用の板状物の被掲示物４及び背板５を挿入させるものである。
【００１４】
更に、コーナー部材接続用孔１ｅは、フレーム１の外側面１ｂに穿設するもので、フレーム１  
の両端部から若干巾の間隔を有した位置に矩形状に穿設しており、後述するコーナー部材２に切  
り起こして突設した係着突起片２ｄが嵌入するものである。
【００１５】
また、コーナー部材２は基部２ａと一対の接続杆２ｃとから成り、基部２ａは矩形状の表面と  
裏面と２つの側面とから成り、内側は開口された断面略コ字状に形成されているものであり、フ  
レーム１と同部材のアルミ等の軽金属、或いは、硬質の合成樹脂等で形成されているものである  。
【００１６】
更に、接続杆２ｃは、基部２ａの側面の接続方向、つまり、直角方向に夫々段部２ｂを介して  
延設され、断面略コ字状に形成されているものであり、フレーム１に挿通されると共に、後述す  
る係着突起片２ｄを突設しているものである。
【００１７】
更には、係着突起片２ｄは、フレーム１の端部辺に穿設したコーナー部材接続用孔１ｅに弾性  
嵌入させるもので、夫々の接続杆２ｃの基端方向から先端方向に向けてコ字状に貫通溝を穿設し  、
コ字状の貫通溝の内部の短杆を外側に湾曲させて突出させたもので、係着突起片２ｄは夫々の隣り合うフレーム１の端部から接続杆２ｃを挿通した時に、フレーム１の内面により押圧され平坦状になり、コーナー部材接続用孔１ｅに達すると材料特性の弾性により突出状態に戻り係着させるもので、係着突起片２ｄの先端面とコーナー部材接続用孔１ｅの側面により抜落は皆無のものである。
【００１８】
次に、コーナー部材２の基部２ａは、その巾と高さは前記フレーム１の巾と高さと同一に形成すると共に、基部２ａと接続杆２ｃとの間の段部２ｂはフレーム１の肉厚と同一に形成している
ものであり、つまり、フレーム１とコーナー部材２とを接続させた状態でフレーム１とコーナー
部材２が面一状態となるものである。
【００１９】
上記に示したコーナー部材２の内側面１ａに背板５を固定するための係止突起片２ｅを付帯す  
る。
【００２０】
図３は、本発明を説明するための断面図である。図において、コーナー部材２に設けた係止突  
起片２ｅは、背板５の接触面に食い込み固定される。
【００２１】
図４は本発明の第二の実施例である。図４において、係止突起片２ｅの位置を裏側面１ｄ側に寄せて設置かつ傾斜面を付帯したものである。該係止突起片２ｅの付帯により、透明板３、被掲示物４及び背板５は、枠体の表側面１ｃにスライドされ、該係止突起片２ｅに背板５の端部が食い込み固定される。
【産業上の利用可能性】
【００２２】
本発明は、一般的には２対２組の四本のフレームを矩形状に配して、隅部を４個のコーナー部材で連結した額等の枠体に関する分野での利用である。
【図面の簡単な説明】
【００２３】
【図１】本発明の従来の構成を説明する組み立て図である。
【図２】本発明の第一の実施形態を説明する構成図である。
【図３】本発明の第一の実施形態を示す断面図である。
【図４】本発明の第二の実施形態を示す構成図である。
【符号の説明】
【００２４】
１                フレーム
２                コーナー部材
３                透明シート
４                被掲示物
５                背板
１ａ              フレーム１の内側面
１ｂ              フレーム１の外側面
１ｃ              フレーム１の表側面
１ｄ              フレーム１の裏即面
１ｅ              フレーム１の係着突起片用孔
２ａ              フレーム２の基部
２ｂ              フレーム２の段部
２ｃ              フレーム２の接続杆
２ｄ              フレーム２の係着突起片
２ｅ              フレーム２の係止突起片
【図１】
2012011031.tif 000003
【図２】
2012011031.tif 000004
【図３】
2012011031.tif 000005
【図４】
2012011031.tif 000006